(57)【特許請求の範囲】
【請求項１】
指針式計器と、前記指針式計器を装飾する加飾部材と、を備えた車両用表示装置であって、
前記加飾部材は、基材と、前記基材に形成された金属層と、前記金属層を保護する保護層と、を有し、
前記加飾部材は切欠き部を有すると共に、前記加飾部材の前記基材は前記切欠き部の周囲に形成された傾斜面を有することを特徴とする車両用表示装置。
【請求項２】
前記指針式計器は、指針と、前記指針を回動させる指針駆動部と、前記指針に指示される目盛り部と、を有すると共に、前記加飾部材は、前記目盛り部を囲んでいることを特徴とする請求項１に記載の車両用表示装置。
【請求項３】
前記保護層の厚さは、５μｍ〜４０μｍであることを特徴とする請求項１に記載の車両用表示装置。
【発明の詳細な説明】
【技術分野】
【０００１】
本発明は、指針式計器を備えた車両用表示装置に関するものである。
【背景技術】
【０００２】
従来より、指針式計器を装飾する加飾部材を備えた車両用表示装置が種々提案されており、例えば特許文献１，特許文献２に開示されている。特許文献１に開示された車両用表示装置は、指針式計器の文字盤に円環状加飾部材を設けたものであり、立体感を持たせている。また、特許文献２に開示された車両用表示装置では、加飾部材の表面に金属層を形成することによって、高級感を高めている。
【先行技術文献】
【特許文献】
【０００３】
【特許文献１】特許第４４６２１３８号公報
【特許文献２】特許第５１４６９０２号公報
【発明の概要】
【発明が解決しようとする課題】
【０００４】
しかしながら、環境条件によっては、加飾部材の金属層が劣化する虞があった。例えば直射日光が照射されるような環境下では、金属層が剥離したり、変色するという問題を有していた。
本発明は、この問題に鑑みなされたものであり、加飾部材の金属層が劣化する虞が少ない車両用表示装置を提供するものである。
【課題を解決するための手段】
【０００５】
本発明は、指針式計器と、前記指針式計器を装飾する加飾部材と、を備えた車両用表示装置であって、前記加飾部材は、基材と、前記基材に形成された金属層と、前記金属層を保護する保護層と、を有し、前記加飾部材は切欠き部を有すると共に、前記加飾部材の前記基材は前記切欠き部の周囲に形成された傾斜面を有するものである。
【０００６】
また、本発明は、前記指針式計器は、指針と、前記指針を回動させる指針駆動部と、前記指針に指示される目盛り部と、を有すると共に、前記加飾部材は、前記目盛り部を囲んでいるものである。
【０００８】
また、本発明は、前記保護層の厚さは、５μｍ〜４０μｍである。
【発明の効果】
【０００９】
加飾部材の金属層を保護する保護層を設けたことにより、金属層が劣化する虞が少ない。
【図面の簡単な説明】
【００１０】
【図１】本発明の第一実施形態を示す正面図。
【図２】同上実施形態を示すＡ−Ａ断面図。
【図３】同上実施形態を示すＢ−Ｂ断面図。
【図４】本発明の第二実施形態を示す断面図。
【図５】同上実施形態を示す要部拡大断面図。
【図６】本発明の第三実施形態を示す断面図。
【図７】同上実施形態を示す要部拡大断面図。
【図８】本発明の第四実施形態を示す正面図。
【図９】同上実施形態を示す要部拡大断面図。
【図１０】比較例を示す要部拡大断面図。
【発明を実施するための形態】
【００１１】
以下、添付図面に基づいて、本発明の一実施形態を説明する。図１乃至図３は、第一実施形態を示すものである。車両用表示装置は、指針１０と、回路基板２０と、ケース体３０と、導光部材４０と、文字盤５０と、円環状加飾部材６０と、ハウジング９０と、を備えている。
【００１２】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する目盛り部４２を指示部１１にて指示する。指針１０のボス部１３及び指針座１４は、黒色樹脂にて一体形成されている。
【００１３】
回路基板２０は、基板本体２１と、基板本体２１の後面側に実装された指針駆動部２２と、基板本体２１の前面側に実装された発光素子２４，２５と、を備えており、導光部材４０の後側に配置されている。回路基板２０は、文字盤５０と平行に配置されている。
【００１４】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１５】
指針駆動部２２は、可動磁石式駆動装置，ステッピングモータ等からなるものである。指針駆動部２２の回動軸２２ａには、指針１０が取り付けられる。指針１０のボス部１３は、文字盤５０に形成された貫通孔５０ｃに挿入される。
【００１６】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度若しくはエンジン回転数に応じた所定の回転角度で回転し、指針１０の指示部１１が目盛り部４２を指示する。
【００１７】
発光素子２４，２５は、夫々、１個以上の発光ダイオード等によって構成される。発光素子２４は、文字盤５０を透過照明する。発光素子２５は、指針１０の指示部１１を光輝させる。発光素子２４，２５は、制御部から供給される制御信号に基づいて駆動され、車両運転者によって操作されるイルミネーションスイッチ等に応じてオン／オフされる。
【００１８】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５を有している。ケース体３０の垂直部３１は、円筒形状になっており、前端が文字盤５０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１９】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、導光部材４０と平行な平板形状になっている。ケース体３０の傾斜部３４は、逆円錐状になっており、平行部３３の外周端に連なっている。ケース体３０の傾斜部３４は、発光素子２４が発した照明光を導光部材４０に向けて反射させる。
【００２０】
ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が導光部材４０の後面に当接し、後端が回路基板２０の前面に当接している。
【００２１】
導光部材４０は、アクリル等の透光性樹脂からなるものであり、平板部４１及び目盛り部４２を有している。導光部材４０の目盛り部４２は、貫通孔５０ｃを中心とした円弧状に配置されており、円環状加飾部材６０に囲まれている。導光部材４０の目盛り部４２は、発光素子２４が発した照明光によって照明される。本実施形態では、目盛り部４２の前面４２ｂは、平板部４１と平行になっているが、貫通孔５０ｃに向かって傾斜していても良い。
【００２２】
文字盤５０は、透光性シートからなる基材の前面に印刷層を形成したものであり、数字表示部５１を有している。文字盤５０は、導光部材４０の前面に配置される。文字盤５０には、導光部材４０の目盛り部４２が挿通される孔部５２が形成されている。
【００２３】
円環状加飾部材６０は、不透明な樹脂からなる基材６１と、この基材６１に形成された金属層６２と、この金属層６２を保護する保護層６３とを有しており、文字盤５０の前面に配置されている。円環状加飾部材６０には切欠き部６０ａが形成されており、この切欠き部６０ａに目盛り部４２が嵌入されている。円環状加飾部材６０の基材６１は、文字盤５０に対向する後面６１ａと、金属層６２が形成される前面６１ｂ及び傾斜面６１ｃと、を有している。基材６１の前面６１ｂは、文字盤５０と平行になっている。基材６１の傾斜面６１ｃは、目盛り部４２の外周面４２ａに向かって傾斜している。
【００２４】
円環状加飾部材６０の金属層６２は、スパッタリング法や金属蒸着法等の気相成長法にて、基材６１の前面６１ｂ及び傾斜面６１ｃに形成されている。円環状加飾部材６０の保護層６３は、透明なトップコート膜からなるものであり、塗装等の方法にて、金属層６２上に形成されている。保護層６３の厚さは、５μｍ〜４０μｍであることが望ましい。
【００２５】
ハウジング９０は、前ケース９１，後ケース９２，透明カバー９３を有している。前ケース９１及び後ケース９２は、不透明な樹脂からなるものであり、図示しない弾性係止部によって、前ケース９１の後側に後ケース９２が係止されている。透明カバー９３は、アクリル等の透明樹脂からなるものであり、平板形状になっている。ハウジング９０には、指針１０，回路基板２０，ケース体３０，導光部材４０，文字盤５０，円環状加飾部材６０が収納される。
【００２６】
図１０は、比較例を示す図である。比較例では、円環状加飾部材６０の基材６１に傾斜面６１ｃがない。比較例では、金属層６２は均一な厚さであるが、目盛り部４２の近傍に、保護層６３が部分的に厚くなった液溜まり６３ｂが生じてしまうため、外観上、好ましくない。
【００２７】
図４及び図５は、第二実施形態を示すものである。第二実施形態は、第一実施形態と同一または相当する個所に同一の符号を付し、その詳細な説明を省略して、特徴部分のみを説明する。
【００２８】
円環状加飾部材７０は、不透明な樹脂からなる基材７１と、この基材７１に形成された金属層７２と、この金属層７２を保護する保護層７３とを有しており、透明カバー９３の前面に配置されている。円環状加飾部材７０は、断面台形状のリング状になっている。円環状加飾部材７０の基材７１は、透明カバー９３に対向する後面７１ａと、金属層７２が形成される前面７１ｂ及び傾斜面７１ｃと、を有している。基材７１の傾斜面７１ｃは、半径方向の外向き及び内向きに向かって傾斜している。第二実施形態では、指針１０の指示部１１に指示される目盛りが文字盤５０に印刷形成されている。
【００２９】
図６及び図７は、第三実施形態を示すものである。第三実施形態は、第一実施形態と同一または相当する個所に同一の符号を付し、その詳細な説明を省略して、特徴部分のみを説明する。
【００３０】
加飾部材８０は、不透明な樹脂からなる基材８１と、この基材８１に形成された金属層８２と、この金属層８２を保護する保護層８３とを有しており、前ケース９１の前面に配置されている。加飾部材８０は、断面台形状の長方形枠状になっている。加飾部材８０の基材８１は、前ケース９１に対向する後面８１ａと、金属層８２が形成される前面８１ｂ及び傾斜面８１ｃと、を有している。第三実施形態では、指針１０の指示部１１に指示される目盛りが文字盤５０に印刷形成されている。
【００３１】
図８及び図９は、第四実施形態を示すものである。第四実施形態は、第一実施形態と同一または相当する個所に同一の符号を付し、その詳細な説明を省略して、特徴部分のみを説明する。
【００３２】
加飾部材１００は、不透明な樹脂からなる基材１０１と、この基材１０１に形成された金属層１０２と、この金属層１０２を保護する保護層１０３とを有しており、前ケース９１の前面に配置されている。加飾部材１００には切欠き部１００ａが形成されており、この切欠き部１００ａに押釦スイッチ１１０が嵌入されている。加飾部材１００の基材１０１は、前ケース９１に対向する後面１０１ａと、金属層１０２が形成される前面１０１ｂ及び傾斜面１０１ｃと、を有している。基材１０１の傾斜面１０１ｃは、押釦スイッチ１１０の外周面１１０ａに向かって傾斜している。押釦スイッチ１１０はゴム等の弾性体からなるものであり、タクトスイッチ（図示しない）を押圧する。押釦スイッチ１１０の前面１１ｂは加飾部材１００の前面よりも突出している。
【００３３】
各実施形態によれば、加飾部材６０，７０，８０，１００の金属層６２，７２，８２，１０２を保護する保護層６３，７３，８３，１０３を設けたことにより、金属層６２，７２，８２，１０２が劣化する虞が少ない。また、加飾部材６０，７０，８０，１００の基材６１，７１，８１，１０１に、傾斜面６１ｃ，７１ｃ，８１ｃ，１０１ｃを設けたことにより、保護層６３，７３，８３，１０３の厚さが略均一になり、部分的に厚くなった液溜まりが生じる虞が少ない。
【００３４】
なお、本発明は、各実施形態に限定されるものではなく、種々の変形が可能であり、例えば、加飾部材６０，７０，８０，１００の基材６１，７１，８１，１０１は、不透明な樹脂からなるものであったが、透明な樹脂からなるものであっても良い。
【符号の説明】
【００３５】
１０    指針
２０    回路基板
２２    指針駆動部
４０    導光部材
４２    目盛り部
５０    文字盤
６０    円環状加飾部材（加飾部材）
６０ａ  切欠き部
６１    基材
６１ｃ  傾斜面
６２    金属層
６３    保護層
７０    円環状加飾部材（加飾部材）
７１    基材
７１ｃ  傾斜面
７２    金属層
７３    保護層
８０    加飾部材
８１    基材
８１ｃ  傾斜面
８２    金属層
８３    保護層
１００    加飾部材
１０１    基材
１０１ｃ  傾斜面
１０２    金属層
１０３    保護層
【図１】
0006766464.tif 000002
【図２】
0006766464.tif 000003
【図３】
0006766464.tif 000004
【図４】
0006766464.tif 000005
【図５】
0006766464.tif 000006
【図６】
0006766464.tif 000007
【図７】
0006766464.tif 000008
【図８】
0006766464.tif 000009
【図９】
0006766464.tif 000010
【図１０】
0006766464.tif 000011